(57)【要約】【課題】  チューニングが狂わないトレモロ装置を提供すること。【解決手段】  演奏者がから操作を受付けて該操作内容を操作信号に変換するとともに、弦楽器の弦の振動音信号をＡ／Ｄ変換してデジタル信号とし、操作信号に基づいてデジタル信号を、その時点の振動音信号の音程が低くまたは高くなるように変換し、該変換したデジタル信号をＤ／Ａ変換して出力する。【選択図】  図１
2007041018.tif 000002
【特許請求の範囲】
【請求項１】
弦楽器の検出器において検出された弦の振動音信号が入力され、該入力された振動音信号をデジタル信号データに変換するＡ／Ｄ変換部と、
前記弦楽器の演奏者が操作可能であって、前記弦の振動音信号による音の音程を変化させるための操作を受付ける操作部と、
該操作部において受付けた操作の操作量を少なくとも含む操作内容を特定可能な操作信号を生成する操作信号生成部と、
前記Ａ／Ｄ変換部にて生成されたデジタル信号データに基づいて、前記入力された振動音信号のピッチを検出するピッチ検出手段と、
前記ピッチ検出手段にて検出したピッチ間隔を、前記操作信号から特定される前記操作部における演奏者の操作量に比例して変化させるように、前記Ａ／Ｄ変換部にて生成されたその時点におけるデジタル信号データを変換する変換処理部と、
該変換処理部にて変換されたデジタル信号データをアナログ信号にＤ／Ａ変換して出力するＤ／Ａ変換部と、
を具備することを特徴とする電子トレモロ装置。
【請求項２】
前記変換処理部は、前記操作信号から特定される前記操作部における演奏者の操作内容が音を高する操作であるときには、前記ピッチ検出手段にて検出したピッチ間隔を、該操作信号から特定される演奏者の操作量に比例して狭めるように前記Ａ／Ｄ変換部にて生成されたその時点におけるデジタル信号データを変換する一方、前記操作信号から特定される前記操作部における演奏者の操作内容が音を低くする操作であるときには、該操作信号から特定される前記操作部における演奏者の操作量に比例して広げるように前記Ａ／Ｄ変換部にて生成されたその時点におけるデジタル信号データを変換することを特徴とする請求項１に記載の電子トレモロ装置。
【請求項３】
前記操作部並びに前記操作信号生成部とを有する操作ユニットと、
前記Ａ／Ｄ変換部と、前記ピッチ検出手段と、前記変換処理部と、前記Ｄ／Ａ変換部とを有する本体ユニットと、から構成され、
前記操作ユニットは、該操作ユニットを前記弦楽器に着脱可能とするための着脱部と、前記操作信号を前記本体ユニットに非接触通信により送信する非接触送信部とを備え、
前記本体ユニットは、前記非接触送信部から送信される操作信号を非接触通信により受信する非接触送信部を具備することを特徴とする請求項１または２に記載の電子トレモロ装置。
【請求項４】
前記操作部への人体の近接および／または人体の接触を検出する人体検出手段をさらに備え、
前記操作信号生成部は、前記人体検出手段において人体の近接および／または人体の接触を検出していることを条件として前記操作信号を生成することを特徴とする請求項１〜３のいずれかに記載の電子トレモロ装置。
【発明の詳細な説明】
【技術分野】
【０００１】
本発明は、弦楽器におけるトレモロ演奏を可能とするトレモロ装置、特には、電子的にトレモロ効果を行う電子トレモロ装置に関する。
【背景技術】
【０００２】
従来、弦楽器、時には、エレクトリックギターに付与されるトレモロ装置としては、弦の端部位置に設けられて、該弦端部を可動可能に保持しつつ、導出されたトレモロアームを演奏者が操作することで、弦の張力が連続的に変化することによりビブラート演奏を可能とするものがある（例えば、特許文献１参照）。
【０００３】
【特許文献１】特開２００３−５７５１号公報
【発明の開示】
【発明が解決しようとする課題】
【０００４】
これら従来のトレモロ装置においては、特許文献１における課題にも示されているように、弦端部を可動可能に保持しつつ導出されたトレモロアームを演奏者が操作することで、弦の張力を連続的に変化させることによりビブラート演奏を可能とするものであるために、これらトレモロアームを操作してビブラート演奏を行った場合には、ビブラート演奏によりチューニングに狂いを生じてしまう場合が非常に多く、コンサート等では、これらのチューニングの狂いに対応するために、複数のエレクトリックギターを予め用意する必要がる等のように、これらチューニングの狂いが問題となっており、これらのチューニングの狂いを生じずにビブラート演奏を行うことができる装置が切望されていた。
【０００５】
本発明は、このような問題点に着目してなされたもので、チューニングの狂いを生じずにビブラート演奏を行うことのできる電子トレモロ装置を提供することを目的としている。
【課題を解決するための手段】
【０００６】
上記課題を解決するために、本発明の請求項１に記載の電子トレモロ装置は、
弦楽器の検出器において検出された弦の振動音信号が入力され、該入力された振動音信号をデジタル信号データに変換するＡ／Ｄ変換部と、
前記弦楽器の演奏者が操作可能であって、前記弦の振動音信号による音の音程を変化させるための操作を受付ける操作部と、
該操作部において受付けた操作の操作量を少なくとも含む操作内容を特定可能な操作信号を生成する操作信号生成部と、
前記Ａ／Ｄ変換部にて生成されたデジタル信号データに基づいて、前記入力された振動音信号のピッチを検出するピッチ検出手段と、
前記ピッチ検出手段にて検出したピッチ間隔を、前記操作信号から特定される前記操作部における演奏者の操作量に比例して変化させるように、前記Ａ／Ｄ変換部にて生成されたその時点におけるデジタル信号データを変換する変換処理部と、
該変換処理部にて変換されたデジタル信号データをアナログ信号にＤ／Ａ変換して出力するＤ／Ａ変換部と、
を具備することを特徴としている。
この特徴によれば、演奏者により演奏された弦の振動音信号が一度、デジタル信号データに変換され、操作部における演奏者の操作量に比例してピッチ間隔が変化するようにその時点におけるデジタル信号データが変換され、これら変換されたデジタル信号データがアナログ信号に戻されて出力されるので、従来のように、これら音程を変化させるために弦楽器の弦の張力を変化させることがないので、チューニングに狂いを生じることなく、演奏者はビブラート演奏を行うことができる。
【０００７】
本発明の請求項２に記載の電子トレモロ装置は、請求項１に記載の電子トレモロ装置であって、
前記変換処理部は、前記操作信号から特定される前記操作部における演奏者の操作内容が音を高する操作であるときには、前記ピッチ検出手段にて検出したピッチ間隔を、該操作信号から特定される演奏者の操作量に比例して狭めるように前記Ａ／Ｄ変換部にて生成されたその時点におけるデジタル信号データを変換する一方、前記操作信号から特定される前記操作部における演奏者の操作内容が音を低くする操作であるときには、該操作信号から特定される前記操作部における演奏者の操作量に比例して広げるように前記Ａ／Ｄ変換部にて生成されたその時点におけるデジタル信号データを変換することを特徴としている。
この特徴によれば、演奏者は、振動音信号による音の音程を、操作量に応じて高くも低くも自在に変更することができる。
【０００８】
本発明の請求項３に記載の電子トレモロ装置は、請求項１または２に記載の電子トレモロ装置であって、
前記操作部並びに前記操作信号生成部とを有する操作ユニットと、
前記Ａ／Ｄ変換部と、前記ピッチ検出手段と、前記変換処理部と、前記Ｄ／Ａ変換部とを有する本体ユニットと、から構成され、
前記操作ユニットは、該操作ユニットを前記弦楽器に着脱可能とするための着脱部と、前記操作信号を前記本体ユニットに非接触通信により送信する非接触送信部とを備え、
前記本体ユニットは、前記非接触送信部から送信される操作信号を非接触通信により受信する非接触送信部を具備することを特徴としている。
この特徴によれば、演奏者は、必要に応じて弦楽器に操作ユニットを装着し、該弦楽器に本体ユニットを接続することで、チューニングに狂いを生じることのないトレモロ機能を簡便に付加することができるばかりか、これらトレモロ機能が不要な場合は、簡単に取り除くこともできる。
【０００９】
本発明の請求項４に記載の電子トレモロ装置は、請求項１〜３のいずれかに記載の電子トレモロ装置であって、
前記操作部への人体の近接および／または人体の接触を検出する人体検出手段をさらに備え、
前記操作信号生成部は、前記人体検出手段において人体の近接および／または人体の接触を検出していることを条件として前記操作信号を生成することを特徴としている。
この特徴によれば、演奏者が操作部を操作するために該操作部に近接または接触している期間においてのみ、操作信号が生成されて変換処理部による変換が実施されるようになるので、これら操作時以外において、演奏者の動作により操作部が不必要に動作して変換処理部による変換が実施されてしまう誤動作を回避することができる。
【発明を実施するための最良の形態】
【００１０】
本発明の実施例を以下に説明する。
【実施例】
【００１１】
本発明の実施例を図面に基づいて説明すると、先ず図1は、本実施例の電子トレモロ装置が取付けられた弦楽器としてのエレクトリックギター（以下エレキギターと略称する）を示す図である。
【００１２】
本実施例の電子トレモロ装置は、図１に示すように、エレキギターと接続コードを介して接続され、該接続コードを通じて入力されるエレキギターからの振動音信号にビブラート効果（音程の高低）を付与して出力する本体ユニット１と、エレキギターの演奏者により操作される操作レバー２１を有し、エレキギターの本体部に装着される操作ユニット２とから構成されている。
【００１３】
まず、本実施例の電子トレモロ装置を構成する操作ユニット２について説明すると、該操作ユニット２は、図５に示すように、断面視コ字状とされることで、エレキギターの下方となる外周部に嵌着されており、その上面２２には、従来のトレモロ装置と同様に、ビブラート演奏を行うために演奏者により操作される操作レバー２１が回動自在に軸支されて設けられている。
【００１４】
また、上面２２には、図１並びに図５に示すように、エレキギターの本体部に嵌着された操作ユニット２が外れて落下しないように固定するための固定ネジ２３が設けられており、該固定ネジ２３をネジ込むことで、該上面２２側の前面板部と対向するコ字状の内面に貼設されたゴム板との間に、エレキギターの本体部が狭持されて該操作ユニット２が固定される。
【００１５】
つまり、本実施例の操作ユニット２は、エレキギターの本体部に固定ネジ２３を用いて、容易に着脱可能とされており、前記したコ字状部と固定ネジ２３とにより本発明における着脱部が形成されている。
【００１６】
また、上面２２側の前面板部内には、操作レバー２１の軸部３０が回動自在に軸支される軸受け部３１を有する揺動板３３が、揺動可能に内設されていて、前記操作レバー２１をエレキギターの前面に対して立てるようの持ち上げる（アームアップ）、或いはエレキギターの前面に対して寝るようの持ち下げる（アームダウン）することで、揺動軸３５を中心として揺動するようになっている。尚、図中の３２は、軸部３０の抜け落ちを防止するための係止ピンである。
【００１７】
この揺動板３３の内方側には、前記揺動軸３５を挟んで２つの第１圧力センサ２５、第２圧力センサ２６が、揺動板３３の下面とほぼ当接するように設けられているとともに、これら各第１圧力センサ２５、第２圧力センサ２６は、弾性部材であるゴム板３４を介して前面板部を構成する筐体に固定されていて、演奏者が操作レバー２１をアップ或いはダウンすることで、揺動板３３が揺動し、該揺動板３３の下面により第１圧力センサ２５或いは第２圧力センサ２６が押されて圧力が生じ、該圧力に応じた信号が第１圧力センサ２５或いは第２圧力センサ２６から出力されるとともに、ゴム板３４がある程度変形することで、操作レバー２１の操作変位（ストローク）が生じるようになっている。
【００１８】
つまり、本実施例の操作レバー２１並びに揺動板３３において、弦楽器となるエレキギターの演奏者が操作可能であって、エレキギターの弦の振動音信号による音の音程を変化させるための操作が受付けられており、該操作レバー２１並びに揺動板３３にて本発明における操作部が形成されている。
【００１９】
これら第１圧力センサ２５や第２圧力センサ２６としては、公知の圧電素子を用いた圧力センサを好適に使用することができる。
【００２０】
そして、本実施例の操作ユニット２には、図２に示すように、操作ユニット２の各部に動作電力を供給する電池２０が搭載されているとともに、該電池を各部に供給する電力供給経路上に、操作レバー２１に接続された人体センサスイッチ２９が設けられている。
【００２１】
この本実施例に用いた人体センサスイッチ２９は、接続されている金属製の操作レバー２１の静電容量の変化により、操作レバー２１に人体が近接並びに接触していることを検出して、当該人体が近接並びに接触している期間においてスイッチをＯＮ状態とするものであり、該人体センサスイッチ２９がＯＮ状態となることで、電池２０からの電力が操作ユニット２の各部に供給されることで、後述するように、ＡＤコンバータ２７にて操作信号が生成されてＩＲ送信部２８から送信されるようになる。
【００２２】
つまり人体センサスイッチ２９は、本発明の操作部を成す操作レバー２１への人体の近接および人体の接触を検出しており、該人体センサスイッチ２９によって本発明における人体検出手段が形成されている。
【００２３】
このように、人体センサスイッチ２９を設けて操作レバー２１への人体の近接および接触を検出して、該人体の近接および接触している期間において動作電力を供給して操作ユニット２を動作させる、つまり、人体検出手段となる人体センサスイッチ２９において人体の近接および人体の接触を検出していることを条件としてＡＤコンバータ２７を含む操作ユニット２の各部を動作させて操作信号を生成するようにすることは、演奏者が操作レバー２１を操作している期間においてのみ、操作信号が生成されて本体ユニット１による音程変換が実施されるようになるので、これら操作時以外において、例えば、演奏者の演奏中の動作により操作部が不必要に動作して音程変換が実施されてしまう誤動作を回避することができるばかりか、本実施例のように、操作ユニット２が、該操作ユニット２のエレキギターへの着脱を容易とするとともに、コードレスによる演奏中の移動を可能とするために電池にて動作するようにしている場合には、該電池からの電力消費を最小限にとどめることもできることから好ましいが、本発明はこれに限定されるものではなく、これら人体センサスイッチ２９を設けない構成としても良い。
【００２４】
尚、本実施例において人体センサスイッチ２９は、操作レバー２１の静電容量を測定することで、人体の接触に加えて人体の近接も検出できるようにしているが、本発明はこれに限定されるものではなく、これら人体検出手段として、例えば、操作レバー２１の先端のグリップ部に、演奏者が当該グリップ部を握ることで外部からの光の入射がなくなるように光センサを設けておき、該光センサにて外光の入力がなくなったことにより演奏者が操作レバーに接触したことを検出するようにしても良く、これら人体検出手段の形態は適宜に選択すれば良い。
【００２５】
また、本実施例の操作ユニット２には、図２に示すように、第１圧力センサ２５並びに第２圧力センサ２６に加えて、これら第１圧力センサ２５と第２圧力センサ２６から出力される圧力に応じた電圧出力をデジタルデータにＡ／Ｄ変換して操作信号とするＡＤコンバータ２７と、該ＡＤコンバータ２７にて変換された操作信号（データ）を、赤外線信号として本体ユニット１に非接触にて送信する本発明における非接触送信部となるＩＲ送信部２８とが設けられている。
【００２６】
この本実施例に用いたＡＤコンバータ２７は、２つのチャンネルを有し、各チャンネルに第１圧力センサ２５と第２圧力センサ２６とが接続されていて、第１圧力センサ２５に対応するチャンネル１に入力される電圧は負（−）の値に変換し、第２圧力センサ２５に対応するチャンネルに入力される電圧は正（＋）の値に変換して操作信号（データ）とすることで、操作信号（データ）が負の値であれば、演奏者により音の高さを上げるために操作レバー２１がアームアップされたことを特定できるとともに、逆に、操作信号（データ）が正の値であれば、演奏者により音の高さを下げるために操作レバー２１がアームダウンされたことを特定できるようになっている。
【００２７】
また、ＡＤコンバータ２７は、各チャンネル１、２に入力された電圧を８ビット（２５６段階）にてデジタル化して操作信号（データ）として出力することで、これら操作信号（データ）の絶対値の大きさにより、前記操作レバー２１の操作量が特定できるようになっている。
【００２８】
具体的には、演奏者が操作レバー２１を大きくアームアップ、或いはアームダウンした場合には、大きな圧力が第１圧力センサ２５或いは第２圧力センサ２６に発生するので、これら第１圧力センサ２５或いは第２圧力センサ２６から大きな電圧が出力され、該大きな電圧がデジタル化されるので、操作信号（データ）の絶対値も大きなものとなる一方、演奏者が操作レバー２１を小さくアームアップ、或いはアームダウンした場合には、小さな圧力が第１圧力センサ２５或いは第２圧力センサ２６に発生するので、これら第１圧力センサ２５或いは第２圧力センサ２６から小さな電圧が出力され、該小さな電圧がデジタル化されるので、操作信号（データ）の絶対値も小さなものとなり、これら絶対値の大きさに比例して、音の高低を変化させる量、つまり、後述するピッチを変化させる量が、後述する本体ユニット１にて変化するように制御されることで、操作レバー２１の操作量に応じて音の高低が変化するようになっている。（図３参照）
【００２９】
つまり、本実施例のＡＤコンバータ２７において、本発明の操作部となる操作レバー２１並びに揺動板３３において受付けた操作量並びに操作内容（アームアップ、アームダウン）を特定可能な操作信号が生成されており、該ＡＤコンバータ２７によって本発明における操作信号生成部が形成されている。
【００３０】
次に、本実施例の本体ユニット１について説明すると、本体ユニット１は、図１に示すように、四角箱状とされたボックス状筐体１１から成るユニットであり、その前面には、該本体ユニット１の動作状況を報知するための動作ＬＥＤ１２と、操作ユニット２のＩＲ送信部２８から送信される赤外線信号を透過させるための赤外線透過窓１３が設けられているとともに、エレキギターとの接続コードが装着されて、該エレキギターからの振動音信号が入力される第１接続プラグ９と、当該本体ユニット１にて処理された振動音信号をアンプ等のサウンドシステムに出力するための接続コードが装着される第２接続プラグ１０とが設けられている。
【００３１】
この本実施例の本体ユニット１には、図２に示すように、接続コード並びに第１接続プラグ９を通じてエレキギターから入力される、該エレキギターの検出器となるピックアップにおいて検出された弦の振動音信号を、所定のサンプリング周波数にてサンプリングして量子化したデジタル信号データに変換するＡＤコンバータから構成されるＡ／Ｄ変換部１４と、該Ａ／Ｄ変換部１４に接続され、該Ａ／Ｄ変換部１４にて変換された振動音信号のデジタル信号データのピッチ検出や、ピッチ幅の伸張する変換や短縮する変換等の各種信号処理を実施するためのデジタルシグナルプロセッサ（ＤＳＰ）から構成されるデジタル信号処理部１５と、該デジタルシグナルプロセッサ（ＤＳＰ）から出力される信号処理済み或いは信号処理されていない振動音信号のデジタル信号データをアナログの振動音信号に変換して出力するＤＡコンバータから構成されるＤ／Ａ変換部１６と、動作ＬＥＤ１２と、前記赤外線透過窓１３に臨むように配置されてＩＲ送信部２８から送信される操作信号が乗調された赤外線信号を受信し、受信した赤外線信号に乗調されている操作信号を出力する本発明における非接触送信部となるＩＲ受信部１７と、これら各部に図２に示すように接続され、内蔵されている内蔵ＲＯＭに格納されている制御プログラムに基づいて、本体ユニット１が実施する各機能を付与するための図４に示す制御を実行するマイクロコンピュータから成る制御部１８とが設けられている。
【００３２】
以下、本実施例の本体ユニット１における動作を、図４に示す制御部１８が実施する制御処理のフロー図に基づいて説明する。
【００３３】
まず、本体ユニット１の制御部１８は、電力の投入に基づいて、初期化処理を実施して、動作ＬＥＤ１９を点灯状態とした後（Ｓ１）、Ｓ２に進んで、ＩＲ受信部１７における操作ユニット２から送信される赤外線信号に乗調された操作信号の受信待ち状態にて待機する（Ｓ２）。
【００３４】
尚、この起動後におけるＳ２の待機状態においては、エレキギターから入力される振動音信号がＡ／Ｄ変換部１４にてデジタル信号データに変換され、該デジタル信号データがデジタル信号処理部１５となるＤＳＰによる信号処理を受けることなく、該変換されたデジタル信号データが再びＤ／Ａ変換部１６にてアナログの振動音信号に変換されて出力されるので、該本体ユニット１に入力された振動音信号がそのままサウンドシステム等に該本体ユニット１から出力される。
【００３５】
尚、本実施例では、これらＳ２の待機状態において入力される振動音信号もＡ／Ｄ変換部１４にてデジタル信号データに変換して、Ｄ／Ａ変換部１６にてアナログの振動音信号に変換しなおしているが、本発明はこれに限定されるものではなく、例えば、Ａ／Ｄ変換部１４の入力側に信号経路の切替スイッチと、該切替スイッチにて切り替えた信号をそのまま本体ユニット１から出力する信号経路とを設けておき、これらＳ２の待機状態において切替スイッチに入力される振動音信号を、デジタル信号データに変換することなく、そのまま本体ユニット１から出力するようにしても良い。
【００３６】
そして、演奏者による操作レバー２１に操作にもとづいて、操作信号を受信した場合には、該操作信号の受信がＳ２において検知されてＳ３に進み、まず、その操作信号（データ）の値が正（＋）の値であるか否かを判定する。
【００３７】
そして、操作信号（データ）の値が正（＋）の値である場合には、Ｓ４に進み、音を下げる操作、つまりアームダウンの操作であると特定するとともに、その操作量を操作信号（データ）の値の絶対値から特定した後、Ｓ５に進んで、該特定した操作内容であるアームダウンに該当する処理形態となるピッチの伸張とピッチの伸張率（伸張パラメータ）とを含む処理指示をデジタル信号処理部１５に出力する。
【００３８】
具体的に、本実施例のピッチの伸張率としては、Ｓ４において特定した操作量（操作信号（データ）の値の絶対値）を所定の操作信号（データ）の最大値により除した値を用いており、最大操作量において１となる。
【００３９】
この処理指示の出力を受けてデジタル信号処理部１５を成すデジタルシグナルプロセッサ（ＤＳＰ）においては、図３のアームダウンに対応する波形に示すように、ピッチ検出処理により該デジタルシグナルプロセッサ（ＤＳＰ）において検出したＡ／Ｄ変換部１４にてデジタル信号データに変換されたその時点において入力された振動音信号のピッチ（入力信号（原音））を、前記処理指示に含まれる伸張率（伸張パラメータ）に応じて伸張する。つまり、伸張率（伸張パラメータ）が大きければ大きく伸張（伸張する最大値は予め定められている）し、伸張率（伸張パラメータ）が小さければ小さく伸張する伸張処理が実施される。
【００４０】
一方、Ｓ３において操作信号（データ）の値が正（＋）の値でない場合、つまり、操作信号（データ）の値が負（−）の値である場合には、Ｓ６に進み、音を上げる操作、つまりアームアップの操作であると特定するとともに、その操作量を操作信号（データ）の値の絶対値から特定した後、Ｓ５に進んで、該特定した操作内容であるアームアップに該当する処理形態となるピッチの短縮とピッチの伸張（短縮）率（短縮パラメータ）とを含む処理指示をデジタル信号処理部１５に出力する。
【００４１】
具体的に、本実施例のピッチの短縮率としては、前述した伸張率と同一であり、Ｓ６において特定した操作量（操作信号（データ）の値の絶対値）を所定の操作信号（データ）の最大値により除した値を用いており、最大操作量において１となる。
【００４２】
この処理指示の出力を受けてデジタル信号処理部１５を成すデジタルシグナルプロセッサ（ＤＳＰ）においては、図３のアームアップに対応する波形に示すように、ピッチ検出処理により該デジタルシグナルプロセッサ（ＤＳＰ）において検出したＡ／Ｄ変換部１４にてデジタル信号データに変換されたその時点において入力された振動音信号のピッチ（入力信号（原音））を、前記処理指示に含まれる伸張（短縮）率（短縮パラメータ）に応じて短縮する。つまり、伸張（短縮）率（短縮パラメータ）が大きければ大きく短縮（短縮する最大値は予め定められている）し、伸張（短縮）率（短縮パラメータ）が小さければ小さく短縮する短縮処理が実施される。
【００４３】
ここで、具体的にデジタル信号処理部１５を成すデジタルシグナルプロセッサ（ＤＳＰ）において実施されるピッチ検出処理について説明すると、ピッチ検出処理としては、変換されたデジタル信号データに基づいて、振動音信号の波形の変極点の内、その量子化値が所定の期間内で最も大きい時点を特定することで、振動音信号から１つのピッチを検出する処理を行う。
【００４４】
すなわち、該ピッチ検出処理において、Ａ／Ｄ変換部１４にて生成されたデジタル信号（データ）に基づいて、前記入力された振動音信号のピッチを検出しており、該ピッチ検出処理を実施するデジタルシグナルプロセッサ（ＤＳＰ）により本発明におけるピッチ検出手段が形成されている。
【００４５】
また、デジタル信号処理部１５を成すデジタルシグナルプロセッサ（ＤＳＰ）において実施される短縮処理としては、Ａ／Ｄ変換部１４にてサンプリングされた各量子化値において、所定の連続する量子化値、例えば連続する１００の量子化値の内から伸張（短縮）率に応じた量子化値を間引いて、残りの量子化値による信号波形が不連続とならないように平滑化するように量子化値を補正することで実施する。つまり、伸張（短縮）率が０.１（１０％）であれば、連続する１００の量子化値からその中央の１つの量子化値を間引き、間引き後の９９つの量子化値を補正する処理を実施し、伸張（短縮）率が０.２（２０％）であれば、連続する１００の量子化値から３５番目と６５番目の量子化値を間引き、間引き後の９８つの量子化値を補正する処理を実施し、伸張（短縮）率が１（１００％）であれば、連続する１００の量子化値から９、１８・・・９０の１０個の量子化値を間引き、間引き後の９０つの量子化値を補正する処理を実施することで、最大１０％、ピッチが短縮されて１０％音程が上がる。
【００４６】
すなわち、該短縮処理において、操作ユニット２からの操作信号から特定される操作レバー２１における演奏者の操作内容が、音を高する操作であるアームアップであるときには、ピッチ検出処理にて検出したピッチ間隔を、該操作信号から特定される演奏者の操作量に比例して狭めるようにＡ／Ｄ変換部１４にて生成されたその時点におけるデジタル信号データを変換しており、該短縮処理を実施するデジタル信号処理部１５（デジタルシグナルプロセッサ（ＤＳＰ））により、本発明における変換処理部が形成されている。
【００４７】
また、デジタル信号処理部１５を成すデジタルシグナルプロセッサ（ＤＳＰ）において実施される伸張処理としては、Ａ／Ｄ変換部１４にてサンプリングされた各量子化値において、所定の連続する量子化値、例えば連続する１００の量子化値に対して、伸張率に応じた数の挿入位置に応じた適宜な大きさの量子化値を挿入し、該挿入した量子化値を含む当該連続する量子化値による信号波形が不連続とならないように平滑化するように各量子化値を補正することで実施する。つまり、伸張率が０.１（１０％）であれば、連続する１００の量子化値の中央位置、５０番目と５１番目の間に、５０番目と５１番目の量子化値の平均値を挿入して、挿入後の１０１つの量子化値を補正する処理を実施し、伸張率が０.２（２０％）であれば、連続する１００の量子化値から３５番目と３６番目との間に３５番目と３６番目の量子化値の平均値を挿入するとともに、６５番目と６６番目との間に６５番目と６６番目の量子化値の平均値を挿入し、挿入後の１０２つの量子化値を補正する処理を実施し、伸張率が１（１００％）であれば、連続する１００の量子化値から９、１８・・・９０番目の量子化値の後に、各量子化値とその１つ後の量子化値との平均値を挿入し、挿入後の１１０の量子化値を補正する処理を実施することで、最大１０％、ピッチが伸張されて１０％音程が下がる。
【００４８】
すなわち、該伸張処理において、操作ユニット２からの操作信号から特定される操作レバー２１における演奏者の操作内容が、音を低くする操作であるアームダウンであるときには、ピッチ検出処理にて検出したピッチ間隔を、該操作信号から特定される演奏者の操作量に比例して広げるようにＡ／Ｄ変換部１４にて生成されたその時点におけるデジタル信号データを変換しており、該伸張処理を実施するデジタル信号処理部１５（デジタルシグナルプロセッサ（ＤＳＰ））により、本発明における変換処理部が形成されている。
【００４９】
そして、これらの短縮処理と伸張処理とが、前述したように、制御部１８からの処理指示に基づいて実施されることで、図３に示すように、本体ユニット１に入力された振動音信号の音程が、アームアップの操作により高くなり、アームアップの操作により低くされることになり、演奏者が操作レバー２１を操作することで、その操作量に応じて振動音信号の音程が変化されるので、エレキギターの弦の張力を変化することなく、ビブラート演奏を行うことができるようになる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、新たに生産されるエレキギターのみではなく、既に消費者に販売されて利用されているエレキギターにも、現行の弦の張力を変化させることによるトレモロ装置に代えて、簡便に本発明の電子トレモロ装置を取付けて利用できるようにするために、本体ユニット１を操作ユニット２と別体として、接続コードに個別に接続できるようにしているが、本発明はこれに限定されるものではなく、これらの本体ユニット１に内在されている各部を、エレキギターの本体内部に設けることで、これら電子トレモロ装置を内在したエレキギターとしても良く、この場合においては、操作ユニット２をエレキギターの本体に固定して設けるとともに、該操作ユニット２と内在される本体ユニット１に該当する部分とを、有線にて接続するようにしても良い。
【００５２】
また、このように、本体ユニット１をエレキギターの本体に内在させる場合にあっては、人体センサスイッチ２９に代えて、操作レバー２１に接続された人体センサを制御部１８に接続しておき、該制御部１８が、人体センサにて操作レバー２１に人体が近接または接触しているときにおいてＡＤコンバータ２７から出力される操作信号を有効とし、人体が近接または接触していないときにＡＤコンバータ２７から出力される操作信号を無効とするようにすれば良い。
【００５３】
また、前記実施例では、操作ユニット２から本体ユニット１への操作信号の非接触送信態様として、赤外線通信を利用しているが、本発明はこれに限定されるものではなく、これらの非接触通信として、電波、特に微弱電波による近距離データ通信を使用するようにしても良いし、更には、接続コードに通信用の専用線を含めるようにして、該接続コード中の専用線を介して有線通信にて操作信号を受信するようにしても良い。
【００５４】
また、前記実施例では、揺動板３３の揺動方向を、上下方向としているが、本発明はこれに限定されるものではなく、これら揺動方向は、操作ユニット２の取付け位置や、エレキギター本体の形状等によって変化するとともに、演奏者によっても体型や操作の癖等に合わせて変えることが考えられることから、これら揺動板３３の揺動方向を適宜に変更できる機構を、操作ユニット２に設けるようにしても良い。
【００５５】
また、前記実施例では、操作ユニット２として２つの圧力センサを用いたものを使用しているが、本発明はこれに限定されるものではなく、例えば、これら操作ユニットを、図６に示すように、蝶番により開閉可能とされた２枚の板間にスプリングを設け、一方の板となる上板に、略Ｌ字状のアームの一端を、該アームを回動自在とするためのベアリングユニットを介して固設するとともに、該上板の内方にボリューム軸のギアとステーとの間に挟持されるとともに、上板に揺動可能にその一端が固定されたピニオンギアを設けた構成として、演奏者がアームをアップまたはダウンさせることにより、上板とともに移動するピニオンギアによりボリューム軸のギアが回転されてボリュームの抵抗値が変化するようにしておき、該ボリュームの抵抗値の変化や抵抗値変化による電圧変化から操作量と操作内容とを特定するようにしても良い。
【００５６】
また、前記実施例では、操作レバー２１のアームアップとアームダウンとにより、ピッチ間隔を拡張並びに短縮することで音程を高くも低くもしているが、本発明はこれに限定されるものではなく、これら音程の変化を、例えば、ピッチ間隔を短縮だけして高くのみ変化させるようにしたり、逆に、ピッチ間隔を拡張だけして高くのみ変化させるようにしても良い。
【図面の簡単な説明】
【００５７】
【図１】本発明の実施例における電子トレモロ装置の全体像を示す斜視図である。
【図２】本発明の実施例における電子トレモロ装置の全体像を示すブロック図である。
【図３】本発明の実施例における信号処理部（ＤＳＰ）にて実施される信号処理の処理態様を示す図である。
【図４】本発明の実施例における制御部にて実施される制御処理の処理内容を示す処理フロー図である。
【図５】本発明の実施例に用いた操作ユニットの構成を示す断面図である。
【図６】その他の形態の操作ユニットの構成を示す断面図である。
【符号の説明】
【００５８】
１                本体ユニット
２                操作ユニット
１３              赤外線透過窓
１４              Ａ／Ｄ変換部
１５              デジタル信号処理部
１６              Ｄ／Ａ変換部
１７              ＩＲ受信部
１８              制御部
２０              電池
２１              操作レバー
２３              固定ネジ
２５              第１圧力センサ
２６              第２圧力センサ
２７              ＡＤコンバータ
２８              ＩＲ送信部
２９              人体センサスイッチ
３０              軸部
３１              軸受け部
３３              揺動板
３４              ゴム板
３５              揺動軸
【図１】
2007041018.tif 000003
【図２】
2007041018.tif 000004
【図３】
2007041018.tif 000005
【図４】
2007041018.tif 000006
【図５】
2007041018.tif 000007
【図６】
2007041018.tif 000008